(57)【要約】【課題】介護用トイレごとの配管を用いることなく、排泄物を下水配管等に直接流下することが可能な介護用トイレを提供することを目的とする。【解決手段】本考案の介護用トイレ５０によれば、排泄物を外部排水口１に直接流下することができるため、排泄物の廃棄作業に伴う介護者及び被介護者の不快感を著しく軽減することができる。また、排泄物の下水配管等への廃棄は、介護用トイレ５０を外部排水口１が設置された場所に移動して、便器部４０の排水口と外部排水口１とを本体排水管２０及び接続排水管２２を介して接続し行うため、介護用トイレ５０ごとに外部排水口１を設ける必要がない。よって、複雑な配管工事等が不要となり、一般家庭や小規模の介護施設等でも容易に使用することができる。【選択図】図１
0003141726.tif 000002
【実用新案登録請求の範囲】
【請求項１】
複数の車輪を備えた移動可能な台車部と、
当該台車部の台座上に設置された便器部と、
当該便器部内の排泄物を流下するための水を貯水する貯水タンクと、
当該貯水タンクに給水するための給水ホースと、
を有することを特徴とする介護用トイレ。
【請求項２】
一端が前記台座の所定の位置に設けられた貫通孔を通して前記便器部の排水口に接続され、もう一端が前記台座の下方を前記台車部の側面方向を向くように配置された本体排水管と、
当該本体排水管の側面方向を向いた一端と外部排水口とを接続する着脱可能な接続排水管と、
を有することを特徴とする請求項１記載の介護用トイレ。
【考案の詳細な説明】
【技術分野】
【０００１】
本考案は、被介護者の排泄時の用いる介護用トイレに関するものである。
【背景技術】
【０００２】
高齢や疾病、もしくは障害等により、自力でトイレまでの移動が困難な被介護者が排泄を行う場合、介護用トイレを室内に設置もしくは移動させてそこで排泄を行う。このような介護用トイレの例として、下記［特許文献１］には移動可能な車椅子型介護用トイレに関する発明が開示されている。また、下記［特許文献２］には室内に据え置き型の水洗式介護用便器に関する発明が開示されている。
【０００３】
【特許文献１】特開２００３−３１９９７５号公報
【０００４】
【特許文献２】特開２００１−１６１５９５号公報
【考案の開示】
【考案が解決しようとする課題】
【０００５】
しかしながら、［特許文献１］に記載の車椅子型介護用トイレでは、被介護者の排泄物は汚物タンクに収容され、介護者が汚物タンク内に溜まった排泄物を通常のトイレもしくは下水配管等に廃棄する必要がある。この汚物タンク内の排泄物の廃棄作業は、介護者、被介護者の双方に不快感を伴うものである。
【０００６】
この点、［特許文献２］に記載の発明では、排泄物を下水配管等に直接流すことができるため、上記の破棄作業は必要なく介護者、被介護者の不快感を軽減することができる。しかしながら、［特許文献２］に記載の発明は、介護用トイレごとに排泄物を流下させるための配管が必要であり、一般家庭や小規模の介護施設等に設置することは困難である。
【０００７】
本考案は、上記事情に鑑みてなされたものであり、介護用トイレごとの配管を用いることなく、排泄物を下水配管等に直接流下することが可能な介護用トイレを提供することを目的とする。
【課題を解決するための手段】
【０００８】
本考案は、
（１）複数の車輪を備えた移動可能な台車部３０と、
当該台車部３０の台座３２上に設置された便器部４０と、
当該便器部４０内の排泄物を流下するための水を貯水する貯水タンク４２と、
当該貯水タンク４２に給水するための給水ホース４４と、
を有することを特徴とする介護用トイレ５０を提供することにより、上記課題を解決する。
（２）一端が前記台座３２の所定の位置に設けられた貫通孔３５を通して前記便器部４０の排水口に接続され、もう一端が前記台座３２の下方を前記台車部３０の側面方向を向くように配置された本体排水管２０と、
当該本体排水管２０の側面方向を向いた一端と外部排水口１とを接続する着脱可能な接続排水管２２と、
を有することを特徴とする上記（１）記載の介護用トイレ５０を提供することにより、上記課題を解決する。
【考案の効果】
【０００９】
本考案の介護用トイレは、上記のような構成のため、
介護用トイレごとの配管を用いることなく、排泄物を下水配管等に直接流下することが可能なため、排泄物の廃棄作業に伴う不快感を軽減することができる。
【考案を実施するための最良の形態】
【００１０】
以下、本考案に係る実施の形態について図面に基づいて説明する。図１は本考案に係る介護用トイレの側面図及び平面図である。図２は本考案に係る介護用トイレの廃棄作業時の側面図及び正面図である。
【００１１】
図１に示す本考案に係る介護用トイレ５０の台車部３０は、前方側に前輪３６ａと後方側に後輪３６ｂとを備えており、この前輪３６ａと後輪３６ｂとにより介護用トイレ５０を移動することができる。また、台車部３０を構成する台座３２の上面には便器部４０が固定されるとともに、便器部４０の排水口には台座３２の所定の位置に形成された貫通孔３５を通して本体排水管２０の一端（取水端）が接続される。
【００１２】
また、台車部３０を構成するフレーム３８の後輪３６ｂ側には一対のハンドル部１０が形成され、このハンドル部１０により介護用トイレ５０の移動をよりスムーズに行うことができる。また、フレーム３８の後部下端には、後述する貯水タンク４２に貯水された水の重量により介護用トイレ５０が後方に転倒することを防止する折り畳み可能なスタンド部３４が形成される。
【００１３】
また、フレーム３８には、被介護者が便器部４０に着座するときの補助をする手摺部１２と、被介護者が便器部４０に着座したときに被介護者の足を載置するフットレスト１４を設けることが好ましい。尚、フットレスト１４は折り畳み式とし、被介護者の便器部４０への着座動作を妨害しないようにすることが特に好ましい。また、台車部３０には前輪３６ａもしくは後輪３６ｂの回転を一時的に防止する図示しないブレーキ手段とそのブレーキ手段を操作するブレーキレバ１６とを設け、介護用トイレ５０の介護者もしくは被介護者の予期せぬ移動を防止することが好ましい。
【００１４】
介護用トイレ５０の便器部４０としは、その内底部にトラップを備えた周知の洋式便器を用いる。そして、便器部４０には被介護者が着座する便座４８と、排泄時以外のときに便器部４０の上面を覆う開閉可能な蓋部４６とを設ける。そして、台座３２の設置高さを適切に設定することで、便器部４０の便座４８の位置を比較的低めとし、便座４８に被介護者が楽に着座できるようにする。尚、便座４８にヒータを設け、被介護者が便座４８に着座したときに感じる冷感を防止するようにしても良い。また、便器部４０に脱臭装置や、被介護者の局部を温水で洗浄する洗浄装置を設けても良い。ただし、洗浄装置を設ける場合には、洗浄に用いる温水は予め洗浄装置の貯水槽に貯えておく必要がある。
【００１５】
また、介護用トイレ５０は、便器部４０の排泄物を流下させるための水を貯えるための貯水タンク４２と、貯水タンク４２に給水するための長さ１ｍ〜２ｍ程度の給水ホース４４とを有している。そして、給水ホース４４の先端には一般的な給水栓（所謂、蛇口）と容易に接続可能な接続アタッチメント４５を設置する。また、貯水タンク４２には、貯水タンク４２に所定量の水が給水されたときに自動的に給水を停止する図示しない給水停止装置と、貯水タンク４２に貯水された水を便器部４０側に流下するための水栓と連動する排水レバー４７とが設けられる。
【００１６】
尚、便器部４０と貯水タンク４２とは、淡いピンクや薄いブルー等に着色されたものを用い、介護用トイレ５０の外観を爽やかなものとすることが好ましい。
【００１７】
また、前述のように、便器部４０の排水口には台座３２の貫通孔３５を通し本体排水管２０の取水端が接続される。この本体排水管２０には例えばＬ型の塩化ビニール管が用いられ、これにより、本体排水管２０のもう一端である排水端は、台座３２の下方に位置するとともに台車部３０の側面方向を向くこととなる。また、この本体排水管２０の排水端には着脱可能な例えばネジ式のキャップ２４を設置する。そして、便器部４０に排泄された排泄物を流下させる場合には、このキャップ２４を取り外した上で、本体排水管２０の排水端と接続排水管２２の取水端とを接続する。そして、接続排水管２２の排水端を下水道や浄化槽と接続された外部排水口１に接続する。尚、接続排水管２２には本体排水管２０と同様、Ｌ型の塩化ビニール管を用いることが好ましい。
【００１８】
次に、本考案に係る介護用トイレ５０の動作を説明する。先ず、貯水タンク４２が貯水されておらず、かつ本体排水管２０の排水端にキャップ２４が取り付けられた状態で、介護用トイレ５０を被介護者の室内等に移動させる。尚、貯水タンク４２が満水の場合には貯水タンク４２に貯水された水の分だけ重量が増加し、介護用トイレ５０の移動が困難となるが、貯水タンク４２が空の状態で移動を行えば介護用トイレ５０を楽に移動させることができる。
【００１９】
介護用トイレ５０の移動が終了すると、ブレーキレバ１６を操作してブレーキ手段を動作させ例えば後輪３６ｂにブレーキを掛ける。尚、ブレーキレバ１６にはブレーキ動作を維持するためのブレーキ維持手段を設けることが好ましい。このブレーキ維持手段としては、ゴムバンド等でブレーキレバ１６をブレーキ動作位置に保持することにより行っても良い。
【００２０】
次に、被介護者が自力もしくは介護者の補助を受けて便器部４０の便座４８に着座する。そして、被介護者は排泄行為を行う。その後、被介護者は介護用トイレ５０から降りる。
【００２１】
次に、介護者は蓋部４６を閉めた後、ブレーキレバ１６を操作してブレーキ動作を解除する。そして、介護用トイレ５０を外部排水口１が設置された場所に移動させる。次に、介護者は、図２に示すように、外部排水口１に接続排水管２２の排水端を差し込んで接続する。次に、本体排水管２０の排水端に取り付けられたキャップ２４を外し、本体排水管２０の排水端と接続排水管２２の取水端とを接続する。そして、本体排水管２０と接続排水管２２とが外れないよう、固定手段２６を設置する。尚、固定手段２６としては所定の金具等の他、台車部３０側と接続排水管２２側とに設置されたフック等とゴムバンド等の弾性部材とを用い、双方のフック等に弾性部材を伸ばした状態で設置することにより行っても良い。
【００２２】
次に、介護者は再度ブレーキ手段を動作させてブレーキを掛け、スタンド部３４を介護用トイレ５０と床面との間に立てる。そして、給水ホース４４の接続アタッチメント４５を給水栓４に接続して、給水栓４を開ける。これにより、給水ホース４４を通して貯水タンク４２に水が給水される。そして、貯水タンク４２に所定量の水が溜まったところで給水停止装置が動作して、貯水タンク４２への給水が自動的に停止する。このとき、貯水タンク４２に貯えられた水の重量により介護用トイレ５０の重心が後方に移動するが、スタンド部３４が存在することにより介護用トイレ５０が後方に転倒することはない。そして、介護者は、貯水タンク４２への給水が終了すると給水栓４を閉じ、給水栓４から給水ホース４４を取り外す。
【００２３】
本体排水管２０と外部排水口１とが接続排水管２２を介して接続され、貯水タンク４２に所定の水量の水が貯水されると、介護者は排水レバー４７を操作して貯水タンク４２の水栓を開放する。これにより、貯水タンク４２に貯水された水が便器部４０内に流下して、排泄物ごと本体排水管２０、接続排水管２２を通って外部排水口１に排出される。
【００２４】
排泄物の排出が終了すると、介護者は本体排水管２０から接続排水管２２を取り外し、本体排水管２０の排水端にキャップ２４を取り付ける。また、介護者は接続排水管２２を外部排水口１から取り外し所定の場所に収納する。
【００２５】
以上のことから、本考案の介護用トイレ５０によれば、排泄物を外部排水口１に直接流下することができるため、排泄物の廃棄作業に伴う介護者及び被介護者の不快感を著しく軽減することができる。また、排泄物の下水配管等への廃棄は、介護用トイレ５０を外部排水口１が設置された場所に移動して、便器部４０の排水口と外部排水口１とを本体排水管２０及び接続排水管２２を介して接続し行うため、介護用トイレ５０ごとに外部排水口１を設ける必要がない。よって、複雑な配管工事等が不要となり、一般家庭や小規模の介護施設等でも容易に使用することができる。
【００２６】
尚、上記の台車部３０としては、既存の車椅子を改造して転用することで、介護用トイレ５０を安価に製造することができる。また、本考案は本考案の要旨を逸脱しない範囲で変更して実施することが可能である。
【図面の簡単な説明】
【００２７】
【図１】本考案に係る介護用トイレの側面図及び平面図である。
【図２】本考案に係る介護用トイレの廃棄作業時の側面図及び正面図である。
【符号の説明】
【００２８】
１      外部排水口
２０    本体排水管
２２    接続排水管
３０    台車部
３２    台座
３５    貫通孔
４０    便器部
４２    貯水タンク
４４    給水ホース
５０    介護用トイレ
【図１】
0003141726.tif 000003
【図２】
0003141726.tif 000004